(57)【要約】ユーザ機器（ＵＥ）が開示される。ＵＥは、ＵＥの不連続受信（ＤＲＸ）動作モードのオン継続時間の開始と正確に整合する割り当てられた周期的ＲＩ報告リソースと、オン継続時間の開始後、第１の割り当てられた周期的ＲＩ報告リソースとのうちの１つを使用して、ランクインジケータ（ＲＩ）を伝送するように構成されている、プロセッサを含む。ユーザ機器（ＵＥ）からエンハンスドノードＢ（ＥＮＢ）へと制御信号を伝送する方法が開示され、この開示は、ＵＥの不連続受信（ＤＲＸ）動作モードのオン継続時間がいつスケジュールされているかを決定することと、オン継続時間の開始と正確に整合する割り当てられた周期的ＲＩ報告間隔と、オン継続時間のスケジュールされた開始後、第１の割り当てられた周期的ＲＩ間隔とのうちの１つを使用して、ランクインジケータ（ＲＩ）制御信号の周期的伝送を開始することとを含む。
2011520317.tif 000002
【特許請求の範囲】
【請求項１】
ユーザ機器（ＵＥ）であって、
該ＵＥの不連続受信（ＤＲＸ）動作モードのオン継続時間の開始と正確に整合する割り当てられた周期的ランクインジケータ（ＲＩ）報告リソースと、該オン継続時間の開始後、第１の割り当てられた周期的ＲＩ報告リソースとのうちの１つを使用して、ＲＩを伝送するように構成されている、プロセッサ
を含む、ＵＥ。
【請求項２】
前記プロセッサは、オン継続時間およびアクティブ時間のうちの１つの終了まで、各連続的に割り当てられた周期的ＲＩ報告リソースを使用して、前記ＲＩを伝送するように構成される、請求項１に記載のＵＥ。
【請求項３】
前記プロセッサは、前記ＤＲＸ動作モードの前記オン継続時間の開始の直前に割り当てられた周期的ＲＩ報告リソースの間、前記ＲＩを伝送するようにさらに構成される、請求項１または２に記載のＵＥ。
【請求項４】
前記プロセッサは、再伝送ウィンドウの開始後、第１の割り当てられた周期的ＲＩ報告リソースの間、前記ＲＩを伝送し、該再伝送ウィンドウの終了まで、各連続的に割り当てられた周期的ＲＩ報告リソースの間、該ＲＩを伝送するようにさらに構成され、該再伝送ウィンドウは、前記オン継続時間と関係付けられている、請求項１〜３のいずれか一項に記載のＵＥ。
【請求項５】
前記プロセッサは、前記再伝送ウィンドウの開始の直前に割り当てられた周期的ＲＩ報告リソースの間、前記ＲＩを伝送するようにさらに構成される、請求項１〜４のいずれか一項に記載のＵＥ。
【請求項６】
前記プロセッサは、前記ＤＲＸ動作モードの前記再伝送ウィンドウ前の先行時間の直前に割り当てられた周期的ＲＩ報告リソースを使用して、前記ＲＩを伝送するようにさらに構成され、該先行時間は、前記ＵＥからエンハンスドノードＢ（ＥＮＢ）へと伝わる該ＲＩ伝送の送信の伝搬遅延と、該ＲＩ伝送に基づいて、受信し、処理し、および適合させるための該ＥＮＢの処理遅延時間との合計として決定される、請求項１〜５のいずれか一項に記載のＵＥ。
【請求項７】
前記プロセッサは、前記オン継続時間および前記アクティブ時間のうちの１つの終了から、割り当てられた周期的ＲＩ報告リソースを使用して、再伝送ウィンドウの終了まで、前記ＲＩを伝送するようにさらに構成され、該再伝送ウィンドウは、該オン継続時間と関連付けられている、請求項１〜６のいずれか一項に記載のＵＥ。
【請求項８】
前記プロセッサは、前記ＤＲＸ動作モードの前記オン継続時間前の先行時間の直前に割り当てられた周期的ＲＩ報告リソースを使用して、前記ＲＩを伝送するようにさらに構成され、該先行時間は、前記ＵＥからエンハンスドノードＢ（ＥＮＢ）へと伝わる該ＲＩ伝送の送信の伝搬遅延と、該ＲＩ伝送に基づいて、受信し、処理し、および適合させるための該ＥＮＢの処理遅延時間との合計として決定される、請求項１〜７のいずれか一項に記載のＵＥ。
【請求項９】
前記ＥＮＢの前記処理遅延時間は、２つのサブフレームの継続時間にほぼ等しい、請求項１〜８のいずれか一項に記載のＵＥ。
【請求項１０】
前記プロセッサは、再伝送ウィンドウの開始後、第１の割り当てられた周期的ＲＩ報告リソースを使用して、前記ＲＩを伝送し、該再伝送ウィンドウの終了まで、各連続的に割り当てられた周期的ＲＩ報告リソースを使用して、該ＲＩを伝送するようにさらに構成され、該再伝送ウィンドウは、前記オン継続時間と関連付けられている、請求項１〜９のいずれか一項に記載のＵＥ。
【請求項１１】
ユーザ機器（ＵＥ）であって、
再伝送ウィンドウの開始後、第１の割り当てられた周期的ＲＩ報告リソースを使用して、ランクインジケータ（ＲＩ）を伝送するように構成されている、プロセッサ
を含む、ＵＥ。
【請求項１２】
前記プロセッサは、前記再伝送ウィンドウの終了まで、各連続的に割り当てられた周期的ＲＩ報告リソースの間、前記ＲＩを伝送するように構成される、請求項１１に記載のＵＥ。
【請求項１３】
前記プロセッサは、前記再伝送ウィンドウの開始の直前に割り当てられた周期的ＲＩ報告リソースの間、前記ＲＩを伝送するようにさらに構成される、請求項１１または１２に記載のＵＥ。
【請求項１４】
前記プロセッサは、前記ＤＲＸ動作モードの前記オン継続時間前の先行時間の直前に割り当てられた周期的ＲＩ報告リソースを使用して、前記ＲＩを伝送するようにさらに構成され、該先行時間は、前記ＵＥからエンハンスドノードＢ（ＥＮＢ）へと伝わる該ＲＩ伝送の送信の伝搬遅延と、該ＲＩ伝送に基づいて、受信し、処理し、および適合させるための該ＥＮＢの処理遅延時間との合計として決定される、請求項１１〜１３のいずれか一項に記載のＵＥ。
【請求項１５】
前記ＥＮＢの前記処理遅延時間は、２つのサブフレームの継続時間にほぼ等しい、請求項１１〜１４のいずれか一項に記載のＵＥ。
【請求項１６】
ユーザ機器（ＵＥ）からエンハンスドノードＢ（ＥＮＢ）へと制御信号を伝送する方法であって、
該ＵＥの不連続受信（ＤＲＸ）動作モードのオン継続時間がいつスケジュールされているかを決定することと、
該オン継続時間の開始と正確に整合する割り当てられた周期的ＲＩ報告間隔と、該オン継続時間のスケジュールされた開始後の第１の割り当てられた周期的ＲＩ間隔とのうちの１つを使用して、ランクインジケータ（ＲＩ）制御信号の周期的伝送を開始することと
を含む、方法。
【請求項１７】
前記オン継続時間およびアクティブ時間のうちの１つの終了後、前記ＲＩ制御信号の周期的伝送を停止することをさらに含む、請求項１６に記載の方法。
【請求項１８】
再伝送ウィンドウがいつ終了するかを決定することであって、該再伝送ウィンドウは、前記オン継続時間と関連付けられている、ことと、
該再伝送ウィンドウのスケジュールされた開始後、第１の割り当てられた周期的ＲＩ間隔の時間において、周期的ＲＩ制御信号の伝送を開始することと、
該再伝送ウィンドウの終了後、前記ＲＩ制御信号の周期的伝送を停止することと
をさらに含む、請求項１６または１７に記載の方法。
【請求項１９】
再伝送ウィンドウの終了後、前記ＲＩ制御信号の周期的伝送を停止することをさらに含み、該再伝送ウィンドウは、前記オン継続時間と関連付けられている、請求項１６〜１８のいずれか一項に記載の方法。
【発明の詳細な説明】
【背景技術】
【０００１】
（背景）
携帯電話、携帯端末、携帯用コンピュータ、および類似デバイス等の無線電気通信能力を伴う容易に運搬可能なデバイスは、本明細書では、ユーザ機器（ＵＥ）と称される。用語「ユーザ機器」は、加入者識別モジュール（ＳＩＭ）アプリケーション、ユニバーサル加入者識別モジュール（ＵＳＩＭ）アプリケーション、または取り外し可能ユーザ識別モジュール（Ｒ−ＵＩＭ）アプリケーションを含む、デバイスおよびその付随するユニバーサル集積回路カード（ＵＩＣＣ）を指す、あるいはそのようなカードを伴わないデバイス本体を指す場合がある。ＵＥは、第２のＵＥ、電気通信ネットワーク内のある他の要素、サーバコンピュータ等の自動コンピューティングデバイス、またはある他のデバイスと通信する場合がある。ＵＥと別の構成要素との間の通信接続は、音声呼び出し、ファイル転送、またはある他の種類のデータ交換を促進する場合があり、いずれも、呼び出しまたはセッションと称され得る。
【０００２】
電気通信技術の進化に伴って、以前は不可能であったサービスの提供が可能なより先進的ネットワークアクセス機器が導入されている。本先進的ネットワークアクセス機器は、例えば、基地局ではなく、エンハンスドノードＢ（ＥＮＢ；ｅｎｈａｎｃｅｄ  ｎｏｄｅ  Ｂ）、または従来の無線電気通信システムにおける同等機器より高度に進化した他のシステムおよびデバイスを含む場合がある。そのような先進的または次世代機器は、本明細書では、ロングタームエボリューション（ＬＴＥ）機器と称される場合がある。また、アクセスノード、例えば、ＵＥへの無線アクセスネットワーク（ＲＡＮ）接続を提供するノードを指す次世代または将来的先進機器も、本明細書では、ＥＮＢと称される。
【０００３】
あるＵＥは、パケット交換方式モードで通信する能力を有し、呼び出しまたはセッションの一部を表すデータストリームは、一意の識別子を付与されたパケットに分割される。次いで、パケットは、異なるパスに沿って、ソースから送信先へと伝送され、異なる時間に送信先に着信する場合がある。送信先に到達すると、パケットは、識別子に基づいて、そのオリジナルシーケンスに再構築される。ボイスオーバーインターネットプロトコル（ＶｏＩＰ）は、インターネットを介したパケット交換方式ベースの音声通信のための周知のシステムである。用語「ＶｏＩＰ」は、本明細書では、通話するために使用され得る特有の技術に関わらず、インターネット経由で接続される任意のパケット交換方式による音声呼び出しを指す。
【０００４】
無線ＶｏＩＰ呼び出しの場合、ＵＥとＥＮＢとの間でデータを搬送する信号は、周波数、コード、および時間パラメータ、ならびＥＮＢによって指定され得る他の特性の特有の集合を有することが可能である。そのような特性の特有の集合を有するＵＥとＥＮＢとの間の接続は、リソースと称され得る。ＥＮＢは、通常は、任意の特定の時間で通信する各ＵＥに対して、異なるリソースを確立する。
【０００５】
新しい無線通信システムは、多入力多出力（ＭＩＭＯ）通信技術を採用してもよい。ＭＩＭＯは、ＵＥおよびＥＮＢの一方または両方を伴い、伝送および／または受信するための複数のアンテナを並行して使用する。無線チャネル条件に応じて、複数のアンテナを採用して、例えば、各アンテナ上でデータの独立ストリームを伝送することによって、ＵＥとＥＮＢとの間の無線リンクの処理量を増加させ、または、例えば、複数のアンテナ上でデータの冗長ストリームを伝送することによって、ＵＥとＥＮＢとの間の無線リンクの信頼性を向上させてもよい。これらの異なる通信の目的は、第１の場合、空間多重化を通して、第２の場合、空間的多様性を通して達成されてもよい。多重アンテナ受信機による多重アンテナ送信機からの複数の同時伝送の受信は、複雑な処理技術およびまたはアルゴリズムを伴い得る。
【発明の概要】
【課題を解決するための手段】
【０００６】
（本発明の概要）
最初に、本開示の１つ以上の実施形態の例示的実装が以下に提供されるが、開示されるシステムおよび／または方法は、現在周知または既存であるかどうかを問わず、任意の数の技術を使用して実装されてもよいことを理解されたい。本開示は、本明細書に例示および記載される例示的設計および実装を含む、以下に例示される例示的実装、図面、および技術にいかようにも限定されず、添付の請求項の範囲とともに、その均等物の全範囲内において修正されてもよい。
【０００７】
一実施形態では、ユーザ機器（ＵＥ）が開示される。ＵＥは、ＵＥの不連続受信（ＤＲＸ）動作モードのオン継続時間の開始と正確に整合する割り当てられた周期的ＲＩ報告リソースと、オン継続時間の開始後、第１の割り当てられた周期的ＲＩ報告リソースとのうちの１つを使用して、ランクインジケータ（ＲＩ）を伝送するように構成されている、プロセッサを含む。
【０００８】
他の実施形態では、再伝送ウィンドウの開始後、第１の割り当てられた周期的ＲＩ報告リソースを使用して、ランクインジケータ（ＲＩ）を伝送するように構成されている、プロセッサを含む、ＵＥが開示される。
【０００９】
一実施形態では、ユーザ機器（ＵＥ）からエンハンスドノードＢ（ＥＮＢ）へと制御信号を伝送する方法が提供される。方法は、ＵＥの不連続受信（ＤＲＸ）動作モードのオン継続時間がいつスケジュールされているかを決定することと、ＵＥの不連続受信（ＤＲＸ）動作モードのオン継続時間の開始と正確に整合する割り当てられた周期的ＲＩ報告間隔と、オン継続時間の開始後の第１の割り当てられた周期的ＲＩ間隔とのうちの１つを使用して、ランクインジケータ（ＲＩ）制御信号の周期的伝送を開始することとを含む。
【図面の簡単な説明】
【００１０】
次に、本開示のより完全な理解のために、添付の図面および詳細な説明と関連して、以下の図面の簡単な説明を参照する（同一参照番号は、同一部品を表す）。
【図１】図１は、本開示の実施形態による、電気通信システムのブロック図である。
【図２】図２は、本開示の実施形態による、ユーザ機器のオン継続時間およびオフ継続時間を例示する概略図である。
【図３ａ】図３ａは、本開示の実施形態による、オン継続時間およびオン継続時間と関連付けられた再伝送ウィンドウに対する、周期的ランクインジケータ（ＲＩ）報告リソースの図である。
【図３ｂ】図３ｂは、本開示の実施形態による、オフ状態のいくつかのランクインジケータ伝送を描写する、オン継続時間およびオン継続時間と関連付けられた再伝送ウィンドウに対する、周期的ランクインジケータ報告リソースの図である。
【図３ｃ】図３ｃは、本開示の実施形態による、オフ状態のいくつかのランクインジケータ伝送を描写する、オン継続時間およびオン継続時間と関連付けられた再伝送ウィンドウに対する、周期的ランクインジケータ報告リソースの図である。
【図３ｄ】図３ｄは、本開示の実施形態による、オフ状態のいくつかのランクインジケータ伝送を描写する、オン継続時間およびオン継続時間と関連付けられた再伝送ウィンドウに対する、周期的ランクインジケータ報告リソースの図である。
【図３ｅ】図３ｅは、本開示の実施形態による、オフ状態のいくつかのランクインジケータ伝送を描写する、オン継続時間およびオン継続時間と関連付けられた再伝送ウィンドウに対する、周期的ランクインジケータ報告リソースの図である。
【図３ｆ】図３ｆは、本開示の実施形態による、オフ状態のいくつかのランクインジケータ伝送を描写する、オン継続時間およびオン継続時間と関連付けられた再伝送ウィンドウに対する、周期的ランクインジケータ報告リソースの図である。
【図４ａ】図４ａは、本開示の実施形態による、エンハンスドノードＢのアップリンクサブフレームおよびダウンリンクサブフレームに対する、周期的ランクインジケータ報告リソースの図である。
【図４ｂ】図４ｂは、本開示の実施形態による、オフ状態のいくつかのランクインジケータ伝送を描写する、オン継続時間およびオン継続時間と関連付けられた再伝送ウィンドウに対する、周期的ランクインジケータ報告リソースの図である。
【図５ａ】図５ａは、本開示の実施形態による、ランクインジケータ制御信号を伝送する方法の図である。
【図５ｂ】図５ｂは、本開示の実施形態による、ランクインジケータ制御信号を伝送する別の方法の図である。
【図６】図６は、本開示の種々の実施形態のうちのいくつかに対して動作可能なユーザ機器を含む、無線通信システムの概略図である。
【図７】図７は、本開示の種々の実施形態のうちのいくつかに対して動作可能なユーザ機器のブロック図である。
【図８】図８は、本開示の種々の実施形態のうちのいくつかに対して動作可能なユーザ機器に実装され得るソフトウェア環境の概略図である。
【図９】図９は、本開示のいくつかの実施形態を実装するために好適な例示的汎用コンピュータシステムを示す。
【発明を実施するための形態】
【００１１】
（詳細な説明）
図１は、ＥＮＢ２０または類似構成要素と通信可能なＵＥ１０を含む、無線電気通信システム１００の実施形態を例示する。種々の種類の情報の伝送は、ＵＥ１０とＥＮＢ２０との間で行なわれ得る。例えば、ＵＥ１０は、ＶｏＩＰデータパケット、ならびにウェブ閲覧、電子メール、および他のユーザアプリケーションに関連する情報を含有するデータパケット等の種々の種類のアプリケーションレイヤデータ（すべて、ユーザプレーンデータと称される場合がある）をＥＮＢ２０に送信してもよい。ＵＥのアプリケーションレイヤに関連する他の種類の情報は、当業者には周知であるだろう。そのような情報を含有するいずれの信号も、本明細書では、データ信号３０と称されるであろう。データ信号３０と関連付けられた情報は、本明細書では、ユーザプレーンデータと称されるであろう。
【００１２】
また、ＵＥ１０は、レイヤ１スケジューリング要求、レイヤ１制御信号伝達（ＣＱＩ、ＰＭＩ、ＲＩ、ＮＡＣＫ／ＡＣＫ等）、高位レイヤ無線リソース制御（ＲＲＣ）メッセージおよび移動度測定メッセージ、ならびに他の制御メッセージ等の種々の種類の制御信号伝達（すべて、制御プレーンデータと称される場合があり、当業者には周知である）をＥＮＢ２０に送信してもよい。ＵＥ１０は、通常は、必要に応じて、そのようなメッセージを生成し、呼び出しを開始または維持する。いずれのそのような信号も、本明細書では、制御信号４０と称されるであろう。制御信号４０と関連付けられた情報は、本明細書では、制御プレーンデータと称されるであろう。
【００１３】
ランクインジケータ（ＲＩ）制御信号および／またはメッセージは、これらの制御信号間に含められる。ＲＩ制御信号は、ＵＥ１０からＥＮＢ２０へと伝送されるメッセージであり得、ＵＥ１０からＥＮＢ２０へのチャネル状態指示（ＣＳＩ）フィードバックを提供するものとして考慮され得る。一実施形態において、ＲＩは、いくつの独立したデータストリームが、無線リンクを介して、ＥＮＢ２０によって伝送されたかを指示し得る。ＲＩは、変調パラメータ、符号化パラメータ、他の通信パラメータを含む通信パラメータに適合したＥＮＢ２０によって使用され得る。一実施形態において、ＥＮＢ２０は、少なくとも部分的に、ＵＥ１０からＥＮＢ２０へと伝送されたＲＩの値に基づいて、プリコーディング行列を選択し得る。
【００１４】
ある場合には、ＵＥ１０とＥＮＢ２０との間に専用チャネルが存在してもよく、それを介して、制御プレーンデータが送信され得る。また、アップリンク上でのデータ送信要求も、本専用チャネルを使用してもよい。これは、スケジューリング要求と呼ばれる場合がある。他の場合では、ランダムアクセスチャネル（ＲＡＣＨ）を使用して、スケジューリング要求を開始してもよい。すなわち、ある場合には、制御プレーンデータを送信するためのリソースの要求は、ＲＡＣＨを介して送信されてもよく、他の場合には、制御プレーンデータ自体が、ＲＡＣＨを介して送信されてもよい。
【００１５】
ＵＥ１０が、制御信号４０をＥＮＢ２０に送信すると、ＥＮＢ２０は、応答信号または他の制御信号をＵＥ１０に返してもよい。例えば、ＵＥ１０が、移動度測定メッセージをＥＮＢ２０に送信する場合、ＥＮＢ２０は、確認メッセージまたはいくつかの他のハンドオーバ関連制御メッセージをＵＥ１０に送信することによって、応答してもよい。ＥＮＢ２０が、ＵＥ１０からの制御信号４０の受信に応じて送信し得る他の種類の応答は、当業者には周知であろう。ＵＥ１０によって送信される制御信号４０のＥＮＢ２０によるいずれのそのような応答も、本明細書では、応答信号５０と称されるであろう。
【００１６】
バッテリ電力を節約するために、ＵＥ１０は、高出力モードと低出力モードとの間を周期的に切り替えてもよい。例えば、不連続受信（ＤＲＸ）として知られる技術を使用して、ＵＥ１０は、比較的に高電力消費の短周期に周期的に入ってもよく、その間、データが受信され得る。そのような周期は、本明細書では、オン継続時間および／またはアクティブ時間と称されるであろう。オン継続時間の合間、ＵＥ１０は、より長周期に入ってもよく、その間、電力消費は減少し、データは受信されない。そのような周期は、本明細書では、オフ継続時間と称されるであろう。節電と性能との間のバランスは、オフ継続時間を可能な限り長くする一方、依然として、オン継続時間をＵＥ１０がデータを適切に受信するために十分な長さに維持することによって、達成可能である。
【００１７】
用語「ＤＲＸ」は、概して、不連続受信を指すために使用される。また、混乱を回避するため、用語「オン継続時間」および「オフ継続時間」は、本明細書では、ＵＥのデータを受信能力を指すために使用されてもよい。オン継続時間に加え、アクティブ時間はＵＥが起動状態である時間を規定し、この時間は、ＵＥをさらなる時間の間起動させる、可能性として考えられる非アクティブタイマが稼働しているため、オン継続時間よりも長いであろう。さらなる関連議論は、３ｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）３６．３２１に見出される。
【００１８】
図２は、ＵＥ１０のオン継続時間およびオフ継続時間の理想化された視点を例示する。より高電力消費のオン継続時間２１０は、より低電力消費のオフ継続時間２２０と時間的に交互に起こる。従来、ＵＥ１０は、オン継続時間２１０の間のみデータを受信し、オフ継続時間２２０の間はデータを受信しない。実施例として、１オン継続時間２１０および１オフ継続時間２２０のサイクル全体は、２０ミリ秒継続するものと決定されてもよい。本サイクルでは、５ミリ秒のオン継続時間２１０は、情報の重大な損失を伴わずに、ＵＥ１０がデータを受信するために十分であると決定されてもよい。次いで、オフ継続時間２２０が、１５ミリ秒継続するであろう。
【００１９】
オン継続時間２１０およびオフ継続時間２２０の規模の決定は、アプリケーションのサービスの質（ＱｏＳ）パラメータに基づいてもよい。例えば、ＶｏＩＰ呼び出しは、電子メール伝送より高レベルの質を必要としてもよい（例えば、遅延が少ない）。呼び出しが設定されると、ＵＥ１０およびＥＮＢ２０は、最大許容可能遅延、最大許容可能パケット損失、および類似考慮点に基づいて、ＱｏＳがネゴシエートされるサービスネゴシエーション段階に入る。また、ＵＥ１０のユーザが加入するサービスのレベルも、ＱｏＳネゴシエーションにおける要因となり得る。呼び出しのためのＱｏＳパラメータが確立されると、ＥＮＢ２０は、ＱｏＳレベルに基づくオン継続時間２１０およびオフ継続時間２２０の適切な規模を設定する。
【００２０】
次に、図３ａを参照して、ＲＩ制御信号伝送について論じられる。複数の割り当てられた周期的ＲＩ報告間隔２５０は、オン継続時間２１０および再伝送ウィンドウ２３０と相対的に示される。ある文脈では、割り当てられた周期的ＲＩ報告間隔２５０は、割り当てられた周期的ＲＩ報告リソースと称される場合がある。描写されるＲＩ報告間隔２５０は、第１のＲＩ報告間隔２５０ａと、第２のＲＩ報告間隔２５０ｂと、第３のＲＩ報告間隔２５０ｃと、第４のＲＩ報告間隔２５０ｄと、第５のＲＩ報告間隔２５０ｅと、第６のＲＩ報告間隔２５０ｆと、第７のＲＩ報告間隔２５０ｇと、第８のＲＩ報告間隔２５０ｈと、第９のＲＩ報告間隔２５０ｉと、第１０のＲＩ報告間隔２５０ｊと、第１１のＲＩ報告間隔２５０ｋと、第１２のＲＩ報告間隔２５０ｌとを含む。ネットワーク内の割り当てられた周期的ＲＩ報告間隔２５０は、継続的シーケンスであって、多くのＲＩ報告間隔２５０が、第１のＲＩ報告間隔２５０ａに先行し、多くのＲＩ報告間隔２５０が、第１２のＲＩ報告間隔２５０ｌに追従することを理解されたい。ある実施形態では、ＵＥ１０は、実線矢印によって図３ａに示されるように、割り当てられたＲＩ報告リソースを使用して、各ＲＩ報告間隔２５０の間、ＲＩ制御信号を伝送してもよい。再伝送ウィンドウ２３０は、ＵＥ１０がオン継続時間２１０の間に適切には受信できなかったデータをＥＮＢ２０がＵＥ１０に再伝送する機会を提供する。ＵＥ１０は、オン継続時間２１０および再伝送ウィンドウ２３０の間、ＰＭＩ制御信号のうちのいくつかを伝送してもよいことに留意されたい。これは、ＵＥ１０が、２つの異なるＲＦチェーン（受信のために第１のアンテナと関連付けられた第１のＲＦチェーンと、伝送のために第２のアンテナと関連付けられた第２のＲＦチェーン）と同様に、２つ以上のアンテナを有し、したがって、ＵＥ１０は、並行して送受信可能であることを必要とし得る。
【００２１】
次に、図３ｂを参照して、ＲＩ制御信号伝送についてさらに論じられる。ある実施形態では、ＵＥ１０が、ＲＩ報告間隔２５０毎にＲＩ制御信号を伝送することは非効率的であり得る。具体的には、ＥＮＢ２０がＵＥ１０に伝送を行なっていないＲＩ報告間隔のいくつかの間、ＥＮＢ２０は、その時点において、ＵＥ１０と通信するための通信パラメータに適合させる必要がないため、ＵＥ１０がＲＩ制御信号をＥＮＢ２０に送信するステップと関連付けられた利点は存在しないであろう。ＲＩ制御信号の伝送を低減するために、種々の技術が採用されてもよい。破線矢印線分によって図３ｂに描写されるように、ＵＥ１０は、第１のＲＩ報告間隔２５０ａ、第２のＲＩ報告間隔２５０ｂ、および第５のＲＩ報告間隔２５０ｅから第１２のＲＩ報告間隔２５０ｌの間、オフまたはＲＩ制御信号の伝送を停止し、それによって、そうでなければ、ＲＩ報告間隔２５０ａ、２５０ｂ、２５０ｅ、２５０ｆ、２５０ｇ、２５０ｈ、２５０ｉ、２５０ｊ、２５０ｋ、および２５０ｌの間、ＲＩ制御信号を伝送することによって消費されるであろう電力を節約してもよい。ＵＥ１０は、オン継続時間２１０のスケジュールを分析し、オン継続時間２１０の開始後の第１のＲＩ報告間隔の間のＲＩ報告間隔２５０のうちの１つにおいて伝送し、オン継続時間２１０の終了またはアクティブ時間の終了まで、各連続的ＲＩ報告間隔の間、ＲＩ制御信号を継続して伝送するように決定する。ＵＥ１０は、オン継続時間２１０の終了またはアクティブ時間の終了まで、ＲＩの転送を保留するように、ＥＮＢ２０によって命令されてもよい。ＵＥ１０によって伝送されるＲＩ制御信号はそれぞれ、ＵＥ１０によって伝送される他のＲＩ制御信号から独立し、現在の無線チャネル条件に基づく新しい情報を含有し得ることを理解されたい。
【００２２】
次に、図３ｃを参照して、ＲＩ制御信号伝送についてさらに論じられる。ある実施形態では、ＵＥ１０は、オン継続時間２１０の直前のＲＩ報告間隔の間、ＲＩ制御信号を伝送し、オン継続時間の終了またはアクティブ時間の終了まで、各連続的ＲＩ報告間隔２５０の間、ＲＩ制御信号を継続して伝送してもよい。オン継続時間２１０の開始前に、ＲＩ制御信号伝送の伝送を開始することによって、ＥＮＢ２０は、オン継続時間２１０の開始により、ＵＥ１０からＲＩ制御信号を受信し、ＲＩ情報を処理し、通信パラメータを適合させる方法を決定することが可能となってもよい。ある文脈では、これは、ＲＩ制御信号伝送の再開と称される場合がある。
【００２３】
次に、図３ｄを参照して、ＲＩ制御信号伝送についてさらに論じられる。ある実施形態では、ＵＥ１０は、再伝送ウィンドウ２３０が終了するまで、ＲＩ制御信号を周期的に継続して伝送し、次いで、ＵＥ１０は、ＲＩ制御信号の伝送を停止する。ＵＥ１０は、オン継続時間２１０の第１のＲＩ報告間隔２５０、例えば、図３ｂに描写される第３のＲＩ報告間隔２５０ｃの間、またはオン継続時間の直前のＲＩ報告間隔２５０、例えば、図３ｃに描写される第２のＲＩ報告間隔２５０ｂの間に、ＲＩ制御信号の伝送を開始してもよい。実施例として、図３ｄでは、ＵＥ１０は、第３のＲＩ報告間隔２５０ｃから第８のＲＩ報告間隔２５０ｈまで、ＲＩ制御信号を周期的に伝送するものとして描写される。また、本シナリオは、オン継続時間２１０の開始後、第１の割り当てられた周期的ＲＩ報告リソースの間、ＲＩ制御信号を伝送し、再伝送ウィンドウ２３０の終了まで、各連続的に割り当てられた周期的ＲＩ報告リソースの間、ＲＩ制御信号を伝送するものとして、記述されてもよい。
【００２４】
次に、図３ｅを参照して、ＲＩ制御信号伝送についてさらに論じられる。ＵＥ１０が、オン継続時間２１０が完了または停止された後、および再伝送ウィンドウ２３０が開始される前に、ＲＩ制御信号を伝送することは非効率的であり得る。ＵＥ１０は、オン継続時間２１０のスケジュールを分析し、オン継続時間２１０が終了した後、またはアクティブ時間の終了時、オフあるいはＲＩ制御信号の周期的伝送を停止してもよい。例えば、図３ｅに描写されるように、ＵＥ１０は、第３のＲＩ報告間隔２５０ｃから第４のＲＩ報告間隔２５０ｄの間、ＲＩ制御信号の周期的伝送をオンにし、第５のＲＩ報告間隔２５０ｅから第７のＲＩ報告間隔２５０ｇの間、ＲＩ制御信号の周期的伝送をオフにし、第８のＲＩ報告間隔２５０ｈの間、ＲＩ制御信号の周期的伝送をオンまたは再開し、次いで、第９のＲＩ報告間隔２５０ｉ時、ＲＩ制御信号の周期的伝送をオフにしてもよい。また、ある実施形態では、ＵＥ１０は、第７のＲＩ報告間隔２５０ｇの間、ＲＩ制御信号を伝送してもよい。
【００２５】
次に、図３ｆを参照して、ＲＩ制御信号伝送についてさらに論じられる。ある実施形態では、再伝送ウィンドウ２３０の間のみ、ＲＩ制御信号を伝送することが望ましい場合がある。ＵＥ１０は、再伝送ウィンドウ２３０内の第１のＲＩ報告間隔２５０または再伝送ウィンドウ２３０の直前のＲＩ報告間隔２５０によって、ＲＩ制御信号の伝送を開始し、再伝送ウィンドウ２３０の終了まで、各連続的ＲＩ報告間隔２５０の間、ＲＩ制御信号を伝送してもよい。
【００２６】
いくつかのＲＩ制御信号伝送のシナリオは、上述の説明に沿って、種々の関連組み合わせおよび拡張の余地があることが、容易に理解されるであろう。これらの組み合わせおよび拡張はすべて、本開示によって想定される。不連続受信（ＤＲＸ）動作モードおよび割り当てられた周期的ＲＩ報告リソースに関連するさらなる技術的詳細は、ＴＳ３６．３００、ＴＳ３６．３２１およびＴＳ３６．２１３に見出されるであろう（これらのそれぞれは、あらゆる目的のために、本明細書に参考として援用される）。
【００２７】
次に、図４ａを参照して、ＲＩ報告間隔２５０と、ＥＮＢの複数のアップリンクサブフレームおよびダウンリンクサブフレームとの間のタイミング関係について論じられる。実際の無線ネットワークでは、ＲＩ制御信号を伝送するＵＥ１０と、ＲＩ制御信号に基づいて通信パラメータに適合させるＥＮＢ２０との間に、いくらかの時間のずれが認められる。伝搬遅延は、無線チャネルを通して、ＥＮＢ２０に伝搬するためのＲＩ制御信号を含有するＵＥ１０によって発せられる無線周波数信号に対してかかる時間によって導入される。ＥＮＢ２０の処理は、例えば、第１のアップリンクサブフレーム２６０ａ、第２のアップリンクサブフレーム２６０ｂ、第３のアップリンクサブフレーム２６０ｃ、第１のダウンリンクサブフレーム２７０ａ、第２のダウンリンクサブフレーム２７０ｂ、および第３のダウンリンクサブフレーム２７０ｃ等のアップリンクサブフレーム２６０と、ダウンリンクサブフレーム２７０とに分割される。アップリンクサブフレーム２６０のエッジおよびダウンリンクサブフレーム２７０のエッジのタイミングは、ＵＥ１０とＥＮＢ２０との間の伝搬遅延および／または発振器ドリフトのため、整合しない場合がある。実施例として、第３のＲＩ報告間隔２５０ｃの間に伝送されるＲＩ制御信号は、第１のアップリンクサブフレーム２６０ａにおいて、ＥＮＢ２０によって受信され、第２のアップリンクサブフレーム２６０ｂにおいて、通信パラメータに適合するようにＥＮＢ２０によって処理され、新しく適合された通信パラメータは、第３のダウンリンクサブフレーム２７０ｃの間、ＵＥ１０と通信するために、ＥＮＢ２０によって採用されてもよい。ある実施形態では、最良のサブフレーム遅延は、約２つのサブフレームである。別の実施形態では、サブフレーム遅延は、約３つのサブフレームまたは約４つのサブフレームであってもよい。
【００２８】
次に、図４ｂを参照して、ＲＩ制御信号伝送についてさらに論じられる。ある実施形態では、ＵＥ１０は、オン継続時間２１０の前および再伝送ウィンドウ２３０の前のＲＩ制御信号の周期的伝送の開始時を決定する際、図４ａを参照して上記で論じられた時間のずれを考慮する。実施例として、図４ｂに描写されるように、第３のＲＩ報告間隔２５０ｃによるＲＩ制御信号の周期的伝送の開始は、オン継続時間２１０の開始によって、ＥＮＢ２０が、通信パラメータを受信、処理、および適合させるために十分な先行時間を提供しなくてもよい。ＵＥ１０が、第３のＲＩ報告間隔、第１のダウンリンクサブフレーム、また、可能性として、第２のダウンリンクサブフレームによって、ＲＩ制御信号の周期的伝送を開始する場合、新たなＲＩ制御信号に基づく適合から恩恵を受けることはなく、ＵＥ１０とＥＮＢ２０との間の非効率的通信動作をもたらし得る。例えば、ＥＮＢ２０は、現在の無線チャネルに好適ではなく、無線チャネルの非効率な使用をもたらす、以前に伝送されたＲＩ制御信号を使用し得る。例えば、古いＲＩに基づくと、ＥＮＢ２０は、現在のチャネル状況のサポートよりも、低い変調レートおよび／または低い符号化レートを使用し得る。あるいは、古いＲＩに基づくと、ＥＮＢ２０は、現在のチャネル状況のサポートよりも、高い変調レートおよび／または符号化レートを使用し得る。例えば、ＵＥ１０は、１つ以上のデータパケットの受信に失敗し得、ＥＮＢ２０は、ＨＡＲＱを使用して、データパケットを再送信する必要があり得、可能性として、無線チャネルの処理量を減少させ、再伝送に注意を払って起動しているためのＵＥ１０の電力消費を増加させ得る。
【００２９】
描写されるように、ＵＥ１０は、第２のＲＩ報告間隔２５０ｂによって、ＲＩ制御信号の周期的伝送を開始し、それによって、オン継続時間２１０の開始により、ＥＮＢ２０にＲＩ制御信号を受信させ、ＲＩ制御信号を処理させ、通信パラメータに適合させるための十分な時間を提供する。同様に、ＵＥ１０は、再伝送ウィンドウ２３０の開始により、ＲＩ制御信号を受信し、ＲＩ制御信号を処理し、通信パラメータに適合させるために、ＥＮＢ２０によって必要とされる時間を考慮して、再伝送ウィンドウ２３０の前のＲＩ制御信号の周期的伝送を開始または再開すべき時を決定する。ＥＮＢ２０は、再伝送ウィンドウ２３０前のＲＩ制御信号の周期的伝送を開始または再開すべき時を決定する方法をＵＥ１０に命令してもよい。
【００３０】
次に、図５ａを参照して、ＲＩ制御信号伝送を制御するためのＵＥ１０の方法３００について論じられる。ブロック３０５では、ＵＥ１０は、次のオン継続時間２１０がスケジューリングされている時を決定する。ＥＮＢ２０は、ＵＥ１０に本プロセスを開始するよう命令してもよい。ブロック３１０では、ＵＥ１０は、オン継続時間２１０と関連付けられた再伝送ウィンドウ２３０の終了がスケジューリングされている時を決定する。ブロック３１５では、ＵＥ１０は、オン継続時間２１０の開始に先行するＲＩ報告間隔２５０を識別または選択する。ある実施形態では、ＵＥ１０は、オン継続時間２１０の開始に先行するいずれのＲＩ報告間隔２５０を選択してもよい。別の実施形態では、ＵＥ１０は、オン継続時間２１０の開始直前のＭＩ報告間隔２５０を選択してもよい。本実施形態の挙動を別様に記述すると、ＵＥ１０は、オン継続時間２１０の開始前に生じる最終ＲＩ報告間隔２５０を選択してもよいことになる。別の実施形態では、ＵＥ１０は、無線周波数信号伝搬の時間のずれ、発振器ドリフトと関連付けられたタイミングオフセット、およびオン継続時間２１０に先行するＲＩ報告間隔２５０を選択するためのＥＮＢ２０による処理を考慮する。ある実施形態では、ＵＥ１０は、時間のずれを推測し、２つのサブフレームのほぼ継続時間分を消費してもよい。別の実施形態では、ＵＥ１０は、時間のずれを推測し、３つのサブフレームまたは４つのサブフレームのほぼ継続時間分を消費してもよい。いくつかの状況では、オン継続時間２１０間のタイミング整合に応じて、ＵＥ１０は、オン継続時間２１０の開始前に生じる最終ＲＩ報告間隔２５０を選択してもよく、またはＵＥ１０は、オン継続時間２１０の開始前に生じる最終の１つ前のＲＩ報告間隔２５０を選択してもよい。しかしながら、別の実施形態では、ＵＥ１０は、オン継続時間２１０の開始後の第１のＲＩ報告間隔を選択してもよい。ＵＥ１０は、ＲＩ報告間隔２５０が、オン継続時間２１０の開始と正確に整合する時、オン継続時間２１０の正確な開始として、第１のＲＩ報告間隔を選択してもよい。
【００３１】
ブロック３２０では、ＵＥ１０は、選択されたＲＩ報告間隔２５０上でＲＩ制御信号を伝送する。ある実施形態では、ブロック３２０の処理は、待機プロセスまたは休止プロセスを含んでもよく、プロセス３００は、適切な時間、例えば、選択されたＲＩ報告間隔２５０の時間に、ブロック３２０のみを実行する。ブロック３２５では、オン継続時間２１０と関連付けられた再伝送ウィンドウ２３０が完了しなかった場合、プロセス３００は、ブロック３２０に戻る。ブロック３２０および３２５をループさせることによって、ＵＥ１０は、ＲＩ制御信号をＥＮＢ２０に周期的に伝送する。ある実施形態では、ＵＥ１０は、ＲＩ制御信号の各新しい伝送のためのＲＩ値および／または情報を再決定することを理解されたい。また、ＵＥ１０は、割り当てられたＲＩ報告リソースを介して、ＲＩ報告間隔２５０のほぼ割り当てられた時間に、ＲＩ制御信号を伝送することを理解されたい。
【００３２】
ブロック３２５では、オン継続時間２１０と関連付けられた再伝送ウィンドウ２３０が完了した場合、処理は、ブロック３０５に戻る。これは、方法３００がブロック３２０に戻るまで、ＲＩ制御信号の周期的伝送の停止を含むものと理解され得る。
【００３３】
次に、図５ｂを参照して、ＲＩ制御信号伝送を制御するためのＵＥ１０の方法３５０について論じられる。ブロック３５５では、ＵＥ１０は、次のオン継続時間２１０の開始および終了がスケジューリングされている時を決定する。ブロック３６０では、ＵＥ１０は、次のオン継続時間２１０と関連付けられた再伝送ウィンドウ２３０の開始および終了がスケジューリングされている時を決定する。ブロック３６５では、ＵＥ１０は、周期的ＲＩ制御信号伝送を開始するように次のスケジューリングされているオン継続時間２１０に先行するＲＩ報告間隔を識別または選択する。上述のブロック３１５に関して記載されるように、ＵＥ１０は、いくつかの異なる選択基準に従って、ＲＩ報告間隔を選択してもよい（同様に、それらすべて、方法３５０によって想定される）。
【００３４】
ブロック３７０では、ＵＥ１０は、選択されたＲＩ報告間隔２５０上でＲＩ制御信号を伝送する。ある実施形態では、ブロック３７０の処理は、待機プロセスまたは休止プロセスを含んでもよく、プロセス３５０は、適切な時間、例えば、選択されたＲＩ報告間隔２５０の時間に、ブロック３７０のみ実行する。ブロック３７５では、オン継続時間２１０が完了していなかった場合、方法３５０は、ブロック３７０に戻る。ブロック３７０および３７５をループさせることによって、ＵＥ１０は、ＲＩ制御信号をＥＮＢ２０に周期的に伝送する。ある実施形態では、ＵＥ１０は、ＲＩ制御信号の各新しい伝送のためのＲＩ値および／または情報を再決定することを理解されたい。また、ＵＥ１０は、割り当てられたＲＩ報告リソースを介して、ＲＩ報告間隔２５０のほぼ割り当てられた時間に、ＲＩ制御信号を伝送することを理解されたい。
【００３５】
ブロック３７５では、オン継続時間２１０が完了した場合、処理は、ブロック３８０に進む。ブロック３８０では、ＵＥ１０は、再伝送ウィンドウ２３０に先行するＲＩ報告間隔を識別または選択し、周期的ＲＩ制御信号伝送を開始あるいは再開する。上述のブロック３１５に関して記載されるように、ＵＥ１０は、いくつかの異なる選択基準に従って、ＲＩ報告間隔を選択してもよい（同様に、それらはすべて、方法３５０によって想定される）。しかしながら、別の実施形態では、オン継続時間２１０が完了した後、方法３５０も完了し、再伝送ウィンドウ２３０の間、ＲＩ制御信号が伝送されなくてもよい。さらに別の実施形態では、方法３５０は、ブロック３６０において開始し、ブロック３５５、３６５、３７０、３７５を迂回することにより、ブロック３６０からブロック３８０に飛ぶ。
【００３６】
ブロック３８５では、ＵＥ１０は、選択されたＲＩ報告間隔２５０上でＲＩ制御信号を伝送する。ある実施形態では、ブロック３８５の処理は、待機プロセスまたは休止プロセスを含んでもよく、プロセス３５０は、適切な時間、例えば、選択されたＲＩ報告間隔２５０の時間に、ブロック３８５のみ実行する。ブロック３９０では、再伝送ウィンドウ２３０が完了していなかった場合、方法３５０は、ブロック３８５に戻る。ブロック３８５および３９０をループさせることによって、ＵＥ１０はＲＩ制御信号をＥＮＢ２０に周期的に伝送する。ある実施形態では、ＵＥ１０は、ＲＩ制御信号の各新しい伝送のためのＲＩ値および／または情報を再決定することを理解されたい。また、ＵＥ１０は、割り当てられたＲＩ報告リソースを介して、ＲＩ報告間隔２５０のほぼ割り当てられた時間に、ＲＩ制御信号を伝送することを理解されたい。
【００３７】
ブロック３９０では、再伝送ウィンドウ２３０が完了した場合、処理は、ブロック３５５に戻る。これは、方法３５０がブロック３７０に戻るまで、ＲＩ制御信号の周期的伝送の停止を含むと理解され得る。
【００３８】
図６は、ＵＥ１０の実施形態を含む、無線通信システムを例示する。ＵＥ１０は、本開示の局面を実装するために動作可能であるが、本開示は、これらの実装に限定されるべきではない。携帯電話として例示されるが、ＵＥ１０は、無線ヘッドセット、ポケットベル、携帯端末（ＰＤＡ）、ポータブルコンピュータ、タブレットコンピュータ、またはラップトップコンピュータを含む、種々の形態をとってもよい。多くの好適なデバイスは、これらの機能の一部または全部を組み合わせている。本開示のいくつかの実施形態では、ＵＥ１０は、ポータブル、ラップトップ、またはタブレットコンピュータ等の汎用コンピューティングデバイスではなく、携帯電話、無線ヘッドセット、ポケットベル、ＰＤＡ、または車両に搭載される電気通信デバイス等の特定用途通信デバイスである。別の実施形態では、ＵＥ１０は、ポータブル、ラップトップ、または他のコンピューティングデバイスであってもよい。ＵＥ１０は、ゲーム、在庫制御、ジョブ制御、および／またはタスク管理機能等の特殊活動をサポートしてもよい。
【００３９】
ＵＥ１０は、ディスプレイ４０２を含む。ある実施形態では、ＵＥ１０は、ＭＩＭＯ動作のために使用され得る、２つのアンテナ４０３（第１のアンテナ４０３Ａおよび第２のアンテナ４０３Ｂ）を含む。また、２つのアンテナ４０３は、オン継続時間２１０の間および／または再伝送ウィンドウ２３０の間、第１のアンテナ４０３Ａ上で、ＵＥ１０にＲＩ制御信号を伝送させる一方、並行して、第２のアンテナ４０３Ｂ上で、ＥＮＢ２０によってＵＥ１０に送信される信号を受信してもよい。また、ＵＥ１０は、ユーザによる入力のためのタッチセンサ式表面、キーボード、または他の入力キー（概して、４０４と称される）を含む。キーボードは、ＱＷＥＲＴＹ、Ｄｖｏｒａｋ、ＡＺＥＲＴＹ、および順列型等の完全または簡略英数字キーボード、または電話用キーパッドに付随するアルファベット文字を伴う従来の数値キーパッドであってもよい。入力キーは、トラックボール、終了またはエスケープキー、トラックボール、および内向きに押下され、さらなる入力機能を提供し得る他のナビゲーションあるいは機能キーを含んでもよい。ＵＥ１０は、ユーザ選択用オプション、ユーザ作動用制御、および／またはユーザ指示用カーソルあるいは他のインジケータを提示してもよい。
【００４０】
さらに、ＵＥ１０は、ダイヤルするための数字またはＵＥ１０の動作を構成するための種々のパラメータ値を含む、ユーザからのデータ入力を受け取ってもよい。さらに、ＵＥ１０は、ユーザコマンドに応答して、１つ以上のソフトウェアまたはファームウェアアプリケーションを実行してもよい。これらのアプリケーションは、ユーザ交信に応答して、種々のカスタマイズされた機能を果たすように、ＵＥ１０を構成してもよい。加えて、ＵＥ１０は、例えば、無線基地局、無線アクセスポイント、またはピアＵＥ１０から、無線を介してプログラムおよび／または構成されてもよい。
【００４１】
ＵＥ１０によって実行可能な種々のアプリケーションには、ディスプレイ４０２にウェブページを表示させるウェブブラウザがある。ウェブページは、無線ネットワークアクセスノード、携帯電話の基地局、ピアＵＥ１０、あるいは任意の他の無線通信ネットワークまたはシステム４００との無線通信を経由して取得されてもよい。ネットワーク４００は、インターネット等の有線ネットワーク４０８に連結される。無線リンクおよび有線ネットワークを経由して、ＵＥ１０は、サーバ４１０等の種々のサーバ上の情報にアクセスする。サーバ４１０は、ディスプレイ４０２上に表示され得るコンテンツを提供してもよい。あるいは、ＵＥ１０は、中継式またはホッピング式の接続において、媒介として作用するピアＵＥ１０を通して、ネットワーク４００にアクセスしてもよい。
【００４２】
図７は、ＵＥ１０のブロック図を示す。ＵＥ１０の種々の周知の構成要素が描写されるが、ある実施形態では、列挙される構成要素の下位集合および／または列挙されていない付加的構成要素が、ＵＥ１０内に含まれてもよい。ＵＥ１０は、デジタル信号プロセッサ（ＤＳＰ）５０２と、メモリ５０４とを含む。示されるように、さらに、ＵＥ１０は、フロントエンドユニット５０６、無線周波数（ＲＦ）送受信機５０８、アナログベースバンド処理ユニット５１０、マイクロホン５１２、イヤホンスピーカ５１４、ヘッドセットポート５１６、入／出力インターフェース５１８、取り外し可能メモリカード５２０、ユニバーサルシリアルバス（ＵＳＢ）ポート５２２、近距離無線通信サブシステム５２４、アラート５２６、キーパッド５２８、液晶ディスプレイ（ＬＣＤ）（タッチセンサ式表面５３０を含み得る）、ＬＣＤコントローラ５３２、電荷結合素子（ＣＣＤ）カメラ５３４、カメラコントローラ５３６、および全地球測位システム（ＧＰＳ）センサ５３８を含んでもよい。ある実施形態では、ＵＥ１０は、タッチセンサ式画面を提供しない、別の種類のディスプレイを含んでもよい。ある実施形態では、ＤＳＰ５０２は、入／出力インターフェース５１８を通さずに、メモリ５０４と直接通信してもよい。
【００４３】
一実施形態では、フロントエンドユニット５０６は、２つのアンテナ４０３とインターフェースをとり、１つの受信チェーンおよび１つの伝送チェーンを含んでもよい。一方のアンテナ４０３は、伝送用であって、他方のアンテナ４０３は、受信用である。これによって、ＵＥ１０は、ＲＩ信号を伝送し、同時に、ＥＮＢ２０から制御および／またはデータ情報を受信可能となる。
【００４４】
ＤＳＰ５０２、あるいはある他の形態のコントローラまたは中央処理ユニットは、メモリ５０４に格納される、もしくはＤＳＰ５０２本体内に含有されるメモリに格納される、内蔵ソフトウェアまたはファームウェアに従って、ＵＥ１０の種々の構成要素を制御するように動作する。内蔵ソフトウェアまたはファームウェアに加え、ＤＳＰ５０２は、メモリ５０４に格納される、あるいは取り外し可能メモリカード５２０のようなポータブルデータ保存媒体等の情報搬送媒体を経由して、もしくは有線または無線ネットワーク通信を経由して利用される、他のアプリケーションを実行してもよい。アプリケーションソフトウェアは、所望の機能性を提供するようにＤＳＰ５０２を構成する、コンパイルされた機械可読命令集合を含んでもよく、あるいはアプリケーションソフトウェアは、インタープリタまたはコンパイラによって処理され、ＤＳＰ５０２を間接的に構成する高レベルソフトウェア命令であってもよい。
【００４５】
アンテナおよびフロントエンドユニット５０６は、無線信号と電気信号とを変換し、セルラーネットワーク、またはある他の利用可能無線通信ネットワーク、あるいはピアＵＥ１０からの情報をＵＥ１０に送受信させるために提供されてもよい。ある実施形態では、アンテナおよびフロントエンドユニット５０６は、複数のアンテナを含み、ビーム形成および／または多入力多出力（ＭＩＭＯ）動作をサポートしてもよい当業者には周知のように、ＭＩＭＯ動作は、困難なチャネル条件を克服し、および／またはチャネル処理能力を増加させるために使用可能な空間的多様性を提供し得る。アンテナおよびフロントエンドユニット５０６は、アンテナ同調および／またはインピーダンス整合構成要素、ＲＦ電力増幅器、ならびに／あるいは低雑音増幅器を含んでもよい。
【００４６】
ＲＦ送受信機５０８は、周波数シフト、受信したＲＦ信号のベースバンドへの変換、およびベースバンド伝送信号のＲＦへの変換を提供する。ある説明では、無線送受信機またはＲＦ送受信機は、変調／復調、符号化／復号化、インターリービング／デインタリービング、拡散／逆拡散、逆フーリエ変換（ＩＦＦＴ）／高速フーリエ変換（ＦＦＴ）、サイクリックプレフィックス付加／除去、および他の信号処理機能等の他の信号処理機能性を含むものと理解されてもよい。明確にするため、本明細書の説明は、本信号処理とＲＦおよび／または無線段階の説明を分離し、信号処理をアナログベースバンド処理ユニット５１０および／またはＤＳＰ５０２あるいは他の中央処理ユニットに概念的に配分する。いくつかの実施形態では、ＲＦ送受信機５０８、アンテナおよびフロントエンド５０６の一部、ならびにアナログベースバンド処理ユニット５１０は、１つ以上の処理ユニットおよび／または特定用途向け集積回路（ＡＳＩＣ）内に組み合わせられてもよい。
【００４７】
アナログベースバンド処理ユニット５１０は、入力および出力の種々のアナログ処理、例えば、マイクロホン５１２およびヘッドセット５１６からの入力、ならびにイヤホン５１４およびヘッドセット５１６への出力のアナログ処理を提供してもよい。本目的のため、アナログベースバンド処理ユニット５１０は、内蔵マイクロホン５１２およびイヤホンスピーカ５１４に接続するためのポートを有し、ＵＥ１０を携帯電話として使用可能にしてもよい。さらに、アナログベースバンド処理ユニット５１０は、ヘッドセットまたは他のハンズフリーマイクロホンおよびスピーカ構成に接続するためのポートを含んでもよい。アナログベースバンド処理ユニット５１０は、ある信号方向では、デジタル／アナログ変換、反対信号方向では、アナログ／デジタル変換を提供してもよい。いくつかの実施形態では、アナログベースバンド処理ユニット５１０の機能性の少なくとも一部は、デジタル処理構成要素、例えば、ＤＳＰ５０２または他の中央処理ユニットによって提供されてもよい。
【００４８】
ＤＳＰ５０２は、変調／復調、符号化／復号化、インターリービング／デインタリービング、拡散／逆拡散、逆フーリエ変換（ＩＦＦＴ）／高速フーリエ変換（ＦＦＴ）、サイクリックプレフィックス付加／除去、および無線通信に付随する他の信号処理機能を行なってもよい。ある実施形態では、例えば、符号分割多重アクセス方式（ＣＤＭＡ）技術用途では、送信機機能の場合、ＤＳＰ５０２は、変調、符号化、インターリービング、および拡散を行なってもよく、受信機機能の場合、ＤＳＰ５０２は、逆拡散、デインタリービング、復号化、および復調を行なってもよい。別の実施形態では、例えば、直交周波数分割多重アクセス（ＯＦＤＭＡ）技術用途では、送信機機能の場合、ＤＳＰ５０２は、変調、符号化、インターリービング、逆フーリエ変換、およびサイクリックプレフィックス付加を行なってもよく、受信機機能の場合、ＤＳＰ５０２は、サイクリックプレフィックス除去、高速フーリエ変換、デインタリービング、復号化、および復調を行なってもよい。他の無線技術用途では、さらに他の信号処理機能および信号処理機能の組み合わせが、ＤＳＰ５０２によって行なわれてもよい。
【００４９】
ＤＳＰ５０２は、アナログベースバンド処理ユニット５１０を経由して、無線ネットワークと通信してもよい。いくつかの実施形態では、通信は、インターネット接続を提供し、ユーザが、インターネット上のコンテンツへのアクセスを取得し、電子メールまたはテキストメッセージを送受信可能にしてもよい。入／出力インターフェース５１８は、ＤＳＰ５０２と種々のメモリおよびインターフェースとを相互接続する。メモリ５０４および取り外し可能メモリカード５２０は、ＤＳＰ５０２の動作を構成するためのソフトウェアおよびデータを提供してもよい。インターフェースは、ＵＳＢインターフェース５２２および近距離無線通信サブシステム５２４であってもよい。ＵＳＢインターフェース５２２を使用して、ＵＥ１０を充電してもよく、また、ＵＥ１０を周辺デバイスとして機能させ、パーソナルコンピュータまたは他のコンピュータシステムと情報を交換させてもよい。近距離無線通信サブシステム５２４は、赤外線ポート、ブルートゥースインターフェース、ＩＥＥＥ  ８０２．１１対応無線インターフェース、または任意の他の近距離無線通信サブシステムを含み、ＵＥ１０を他の近くのモバイルデバイスおよび／または無線基地局と無線通信可能にしてもよい。
【００５０】
さらに、入／出力インターフェース５１８は、ＤＳＰ５０２をアラート５２６に接続し、トリガされると、例えば、鳴鐘、メロディ再生、または振動によって、ＵＥ１０は、ユーザに通知を提供してもよい。アラート５２６は、無音振動、または特定の発呼者に対して予め割り当てられた指定のメロディ再生によって、着呼、新しいテキストメッセージ、およびスケジュールリマインダ等の種々の事象のいずれかをユーザに警告するための機構としての役割を果たしてもよい。
【００５１】
キーパッド５２８は、インターフェース５１８を経由して、ＤＳＰ５０２に連結し、選択、情報入力、および別様にＵＥ１０に入力を提供するためのある機能をユーザに提供する。キーボード５２８は、ＱＷＥＲＴＹ、Ｄｖｏｒａｋ、ＡＺＥＲＴＹ、および順列型等の完全または簡略英数字キーボード、または電話用キーパッドに付随するアルファベット文字を伴う従来の数値キーパッドであってもよい。入力キーは、トラックボール、終了またはエスケープキー、トラックボール、および内向きに押下され、さらなる入力機能を提供し得る他のナビゲーションあるいは機能キーを含んでもよい。別の入力機構は、タッチスクリーン能力を含み、また、テキストおよび／またはグラフィックをユーザに表示し得る、ＬＣＤ５３０であってもよい。ＬＣＤコントローラ５３２は、ＤＳＰ５０２をＬＣＤ５３０に連結する。
【００５２】
ＣＣＤカメラ５３４が装備されている場合、ＵＥ１０は、デジタル写真を撮影可能となる。ＤＳＰ５０２は、カメラコントローラ５３６を経由して、ＣＣＤカメラ５３４と通信する。別の実施形態では、電荷結合素子カメラ以外の技術によって動作するカメラが採用されてもよい。ＧＰＳセンサ５３８は、ＤＳＰ５０２に連結され、全地球測位システム信号に復号化し、それによって、ＵＥ１０にその位置を決定させる。また、種々の他の周辺機器が含められ、付加的機能、例えば、無線およびテレビ受信を提供してもよい。
【００５３】
図８は、ＤＳＰ５０２によって実装され得る、ソフトウェア環境６０２を例示する。ＤＳＰ５０２は、ソフトウェアの残りが動作するプラットフォームを提供する、オペレーティングシステムドライバ６０４を実行する。オペレーティングシステムドライバ６０４は、無線デバイスハードウェアのためのドライバに、アプリケーションソフトウェアにアクセス可能な標準インターフェースを提供する。オペレーティングシステムドライバ６０４は、ＵＥ１０上で起動するアプリケーション間の制御を転送する、アプリケーション管理サービス（「ＡＭＳ」）６０６を含む。また、図８に示されるのは、ウェブブラウザアプリケーション６０８、メディアプレイヤアプリケーション６１０、およびＪａｖａ（登録商標）アプレット６１２である。ウェブブラウザアプリケーション６０８は、ウェブブラウザとして動作し、ユーザが、フォームに情報を入力し、ウェブページを読み出し、表示するためのリンクを選択可能となるように、ＵＥ１０を構成する。メディアプレイヤアプリケーション６１０は、可聴または視聴覚メディアを読み出し、再生するように、ＵＥ１０を構成する。Ｊａｖａ（登録商標）アプレット６１２は、ゲーム、ユーティリティ、および他の機能性を提供するように、ＵＥ１０を構成する。構成要素６１４は、本明細書に記載のように、ＤＲＸの間のＲＩ伝送に関連する機能性を提供してもよい。構成要素６１４は、アプリケーションソフトウェアレベルで図８に示されるが、構成要素６１４は、図８に例示されるものより低システムレベルで実装されてもよい。
【００５４】
上述のシステム１００のある局面は、課される必要作業負荷を処理するために十分な処理電力、メモリリソース、およびネットワーク処理能力を伴う、任意の汎用コンピュータ上に実装されてもよい。図９は、本明細書に開示される１つ以上の実施形態を実装するために好適な通常の汎用コンピュータシステムを例示する。コンピュータシステム６８０は、二次記憶装置６８４、読み出し専用メモリ（ＲＯＭ）６８６、ランダムアクセスメモリ（ＲＡＭ）６８８、入／出力（Ｉ／Ｏ）デバイス６９０、およびネットワーク接続デバイス６９２を含む、メモリデバイスと通信するプロセッサ６８２（中央処理ユニットまたはＣＰＵと称される場合がある）を含む。プロセッサ６８２は、１つ以上にＣＰＵチップとして実装されてもよい。
【００５５】
二次記憶装置６８４は、通常は、１つ以上のディスクドライブまたはテープドライブから成り、ＲＡＭ６８８が全作業データを保持するために十分なほど大容量ではない場合、データの不揮発性記憶のため、およびオーバーフローデータ記憶デバイスとして使用される。二次記憶装置６８４は、ＲＡＭ６８８にロードされるプログラムが実行のために選択されると、そのようなプログラムを格納するために使用されてもよい。ＲＯＭ６８６は、命令と、おそらくプログラム実行の際に読み込まれるデータを格納するために使用される。ＲＯＭ６８６は、不揮発性メモリデバイスであって、通常は、二次記憶装置のより大容量のメモリ容量と比較して、小メモリ容量を有する。ＲＡＭ６８８は、揮発性データと、おそらく命令を格納するために使用される。ＲＯＭ６８６およびＲＡＭ６８８の両方へのアクセスは、通常は、二次記憶装置６８４へよりも高速である。
【００５６】
Ｉ／Ｏデバイス６９０は、プリンタ、ビデオモニタ、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、または他の周知の入力デバイスを含んでもよい。
【００５７】
ネットワーク接続デバイス６９２は、モデム、集合モデム、イーサネット（登録商標）カード、ユニバーサルシリアルバス（ＵＳＢ）インターフェースカード、シリアルインターフェース、トークンリングカード、光ファイバー分散データインターフェース（ＦＤＤＩ）カード、無線ローカルエリアネットワーク（ＷＬＡＮ）カード、符号分割多重アクセス方式（ＣＤＭＡ）および／または汎ヨーロッパデジタル移動通信システム（ＧＳＭ）無線送受信機カード等の無線送受信機カード、ならびに他の周知のネットワークデバイスの形態をとってもよい。これらのネットワーク接続デバイス６９２によって、プロセッサ６８２は、インターネットまたは１つ以上のイントラネットと通信可能となってもよい。そのようなネットワーク接続によって、プロセッサ６８２は、上述の方法ステップを行なう過程において、ネットワークから情報を受信する、またはネットワークに情報を出力してもよいことが企図される。そのような情報（プロセッサ６８２を使用して実行される命令シーケンスとして表される場合が多い）は、例えば、搬送波中に内蔵されるコンピュータデータ信号の形態として、ネットワークから受信され、かつネットワークに出力されてもよい。また、ネットワーク接続デバイス６９２は、当業者に周知のように、無線または別様に信号を送受信するための１つ以上の送信機および受信機を含んでもよい。
【００５８】
そのような情報（例えば、プロセッサ６８２を使用して実行されるデータまたは命令を含み得る）は、例えば、コンピュータデータベースバンド信号または搬送波中に内蔵される信号の形態として、ネットワークから受信され、かつネットワークに出力されてもよい。ネットワーク接続デバイス６９２によって生成される、ベースバンド信号または搬送波中に内蔵される信号は、電導体またはその表面、同軸ケーブル、導波管、光媒体（例えば、光ファイバ）、あるいは空気中、もしくは自由空間内を伝搬してもよい。ベースバンド信号または搬送波中に内蔵される信号に含有される情報は、情報を処理または生成するために、あるいは情報を伝送または受信するために望ましいであろう異なるシーケンスに従って、順序付けられてもよい。ベースバンド信号、または搬送波中に内蔵される信号、あるいは現在使用されている、もしくは今後開発される他の種類の信号（本明細書では、伝送媒体と称される）は、当業者に周知のいくつかの方法に従って生成されてもよい。
【００５９】
プロセッサ６８２は、ハードディスク、フロッピー（登録商標）ディスク、光ディスク（これらの種々のディスクをベースとするシステムはすべて、二次記憶装置６８４とみなされる場合がある）、ＲＯＭ６８６、ＲＡＭ６８８、またはネットワーク接続デバイス６９２からアクセスする命令、コード、コンピュータプログラム、スクリプトを実行する。１つのプロセッサ６８２のみ示されるが、複数のプロセッサが存在してもよい。したがって、命令は、プロセッサによって実行されるように論じられ得るが、命令は、同時に、連続的に実行される、あるいは別様に１つまたは複数のプロセッサによって実行されてもよい。
【００６０】
いくつかの実施形態が、本開示に提供されたが、開示されるシステムおよび方法は、本開示の精神または範囲から逸脱することなく、多くの他の特有の形態として具現化されてもよいことを理解されたい。本実施例は、限定ではなく、例示としてみなされるべきであって、本明細書に与えられる詳細に限定されることを意図するものではない。例えば、種々の要素または構成要素は、組み合わされ、または別のシステムに統合されてもよく、あるいはある特徴は、省略され、もしくは実装されてなくてもよい。
【００６１】
また、離散的または別個として、種々の実施形態に記述および例示される技術、システム、サブシステム、および方法は、本開示の範囲から逸脱することなく、他のシステム、モジュール、技術、または方法と組み合わされ、あるいは統合されてもよい。連結される、または直接連結される、あるいは互いに通信するように図示もしくは論じられた他の項目は、あるインターフェース、デバイス、または中間構成要素を通して、電気的に、機械的に、あるいは別様にかにかかわらず、間接的に連結される、もしくは通信してもよい。変更、置換、および代替の他の実施例は、当業者によって究明可能であって、本明細書に開示される精神および範囲から逸脱することなく成され得る。
【図６】
2011520317.tif 000003
【図１】
2011520317.tif 000004
【図２】
2011520317.tif 000005
【図３ａ】
2011520317.tif 000006
【図３ｂ】
2011520317.tif 000007
【図３ｃ】
2011520317.tif 000008
【図３ｄ】
2011520317.tif 000009
【図３ｅ】
2011520317.tif 000010
【図３ｆ】
2011520317.tif 000011
【図４ａ】
2011520317.tif 000012
【図４ｂ】
2011520317.tif 000013
【図５ａ】
2011520317.tif 000014
【図５ｂ】
2011520317.tif 000015
【図７】
2011520317.tif 000016
【図８】
2011520317.tif 000017
【図９】
2011520317.tif 000018
【国際調査報告】
2011520317.tif 000019
2011520317.tif 000020